(57)【要約】  ＣＰＭとＳＭＳとの間のインターワーキングサービスを提供するための方法及びＩＰ−ＳＭ−ＧＷが提供される。上記方法は、ＣＰＭ  ＵＥから発信されてＳＭＳ対応ＵＥに向けて送信されるチャットセッションの招待を、ＩＰ−ＳＭ−ＧＷにおいて受信するステップを含む。上記ＩＰ−ＳＭ−ＧＷにおいて上記チャットセッションに識別子を割り当て、招待の確認応答を上記ＩＰ−ＳＭ−ＧＷから上記ＣＰＭ  ＵＥへ送信する。上記チャットセッション内で、データを含むメッセージであって上記ＳＭＳ対応ＵＥへ送信される当該メッセージを、上記ＩＰ−ＳＭ−ＧＷにおいて上記ＣＰＭ  ＵＥから受信し、上記メッセージをＳＭＳメッセージにフォーマットする。上記チャットセッションに割り当てられる上記識別子は、上記ＳＭＳメッセージの送信者として挿入されて、ＳＭＳ応答が上記ＩＰ−ＳＭ−ＧＷへ送信されることを保証する。フォーマットされた上記ＳＭＳメッセージを上記ＳＭＳ対応ＵＥへ転送する【選択図】図４
2013507678.tif 000002
【特許請求の範囲】
【請求項１】
コンバージドＩＰメッセージング（ＣＰＭ）とショートメッセージサービス（ＳＭＳ）との間のインターワーキングサービスを提供するための方法であって：
ａ）ＣＰＭユーザ機器（ＵＥ）から発信されてＳＭＳ対応ＵＥに向けて送信されるチャットセッションの招待を、インターネットプロトコルショートメッセージゲートウェイ（ＩＰ−ＳＭ−ＧＷ）において受信するステップと；
ｂ）前記ＩＰ−ＳＭ−ＧＷにおいて前記チャットセッションに識別子を割り当てるステップと；
ｃ）招待の確認応答を前記ＩＰ−ＳＭ−ＧＷから前記ＣＰＭ  ＵＥへ送信するステップと；
ｄ）前記チャットセッション内で、データを含むメッセージであって前記ＳＭＳ対応ＵＥへ送信される当該メッセージを、前記ＩＰ−ＳＭ−ＧＷにおいて前記ＣＰＭ  ＵＥから受信するステップと；
ｅ）データを含む前記メッセージをＳＭＳメッセージにフォーマットするステップと；
前記チャットセッションに割り当てられる前記識別子は、前記ＳＭＳメッセージの送信者として挿入されて、ＳＭＳ応答が前記ＩＰ−ＳＭ−ＧＷへ送信されることを保証することと、
ｆ）フォーマットされた前記ＳＭＳメッセージを前記ＳＭＳ対応ＵＥへ転送するステップと；
を含む方法。
【請求項２】
ｇ）前記ＩＰ−ＳＭ−ＧＷにおいて、前記ＳＭＳ対応ＵＥから前記ＳＭＳ応答を受信するステップと；
ｈ）前記ＳＭＳ応答をＣＰＭフォーマットの応答へフォーマットするステップと；
ｉ）前記ＣＰＭフォーマットの前記応答を前記ＣＰＭ  ＵＥへ転送するステップと；
をさらに含む、請求項１の方法。
【請求項３】
前記ステップｂ）の後に、
ｂ１）前記チャットセッションの招待をＳＭＳ招待メッセージへ変換するステップと；
ｂ２）ホームロケーションレジスタ（ＨＬＲ）又はホーム加入者サーバ（ＨＳＳ）から、前記ＳＭＳ対応ＵＥについてのルーティング情報を取得するステップと；
ｂ３）前記ＳＭＳ招待メッセージを前記ＳＭＳ対応ＵＥへ送信するステップと；
ｂ４）前記チャットセッションの招待への応答を示すＳＭＳ応答を前記ＳＭＳ対応ＵＥから受信するステップと；
さらに含む、請求項１の方法。
【請求項４】
前記ステップｂ）の後に、前記ＣＰＭ  ＵＥが前記インターワーキングサービスを使用する権限を与えられているかをチェックすることによりサービスの権限付与を実行するステップをさらに含む、請求項１の方法。
【請求項５】
前記ステップａ）において、
前記ＩＰ−ＳＭ−ＧＷは、前記チャットセッションの招待をサービング呼セッション制御機能（Ｓ−ＣＳＣＦ）から受信し、
前記Ｓ−ＣＳＣＦは、当該Ｓ−ＣＳＣＦにおいて記憶されている初期フィルタ基準（ｉＦＣ）に基づいて、前記チャットセッションの招待を前記ＣＰＭ  ＵＥから前記ＩＰ−ＳＭ−ＧＷへ転送する、
請求項１の方法。
【請求項６】
前記チャットセッションの招待が、「ヘッダ」、「ユーザ」又は「ＩＤ」を伴うプライバシヘッダを含む場合に、前記ＩＰ−ＳＭ−ＧＷは、当該ＩＰ−ＳＭ−ＧＷから前記ＳＭＳ対応ＵＥへ送信される全てのメッセージの中の前記送信者の前記識別子を匿名にする、請求項１の方法。
【請求項７】
前記識別子は、前記ＣＰＭ  ＵＥの移動局国際加入者ディレクトリ番号（ＭＳＩＳＤＮ）である、請求項１の方法。
【請求項８】
前記識別子は、前記ＩＰ−ＳＭ−ＧＷにより割り当てられる移動局国際加入者ディレクトリ番号（ＭＳＩＳＤＮ）である、請求項１の方法。
【請求項９】
前記ＭＳＩＳＤＮは、再使用可能なＭＳＩＳＤＮのデータベースから割り当てられる、請求項８の方法。
【請求項１０】
前記ＳＭＳ対応ＵＥは、着呼するチャットをＳＭＳとして受信するように設定されたプリファレンスを有するＣＰＭ  ＵＥである、請求項１の方法。
【請求項１１】
コンバージドＩＰメッセージング（ＣＰＭ）とショートメッセージサービス（ＳＭＳ）との間のインターワーキングサービスを提供するためのインターネットプロトコルショートメッセージゲートウェイ（ＩＰ−ＳＭ−ＧＷ）であって、
−ＣＰＭユーザ機器（ＵＥ）から発信されてＳＭＳ対応ＵＥに向けて送信されるチャットセッションの招待を受信し、データを含むメッセージであって前記ＳＭＳ対応ＵＥへ送信される当該メッセージを、前記チャットセッション内で前記ＣＰＭ  ＵＥから受信する、受信インターフェースと；
−前記チャットセッションに識別子を割り当て、データを含む前記メッセージをＳＭＳメッセージにフォーマットするプロセッサと；
を備え、
前記チャットセッションに割り当てられる前記識別子は、前記ＳＭＳメッセージの送信者として挿入されて、ＳＭＳ応答が前記ＩＰ−ＳＭ−ＧＷへ送信されることを保証し、
前記ＩＰ−ＳＭ−ＧＷは、
−招待の確認応答を前記ＩＰ−ＳＭ−ＧＷから前記ＣＰＭ  ＵＥへ送信し、フォーマットされた前記ＳＭＳメッセージを前記ＳＭＳ対応ＵＥへ転送する送信インターフェース；
を備える、ＩＰ−ＳＭ−ＧＷ。
【請求項１２】
前記受信インターフェースは、さらに、前記ＳＭＳ対応ＵＥから前記ＳＭＳ応答を受信し、
前記プロセッサは、さらに、前記ＳＭＳ応答をＣＰＭフォーマットの応答へフォーマットし、
前記送信インターフェースは、さらに、前記ＣＰＭフォーマットの前記応答を前記ＣＰＭ  ＵＥへ転送する、
請求項１１のＩＰ−ＳＭ−ＧＷ。
【請求項１３】
前記プロセッサは、さらに、前記チャットセッションの招待をＳＭＳ招待メッセージへ変換し、
前記受信インターフェースは、さらに、ホームロケーションレジスタ（ＨＬＲ）又はホーム加入者サーバ（ＨＳＳ）から、前記ＳＭＳ対応ＵＥについてのルーティング情報を取得し、前記チャットセッションの招待への応答を示すＳＭＳ応答を前記ＳＭＳ対応ＵＥから受信し、
前記送信インターフェースは、さらに、前記ＳＭＳ招待メッセージを前記ＳＭＳ対応ＵＥへ送信する、
請求項１１のＩＰ−ＳＭ−ＧＷ。
【請求項１４】
前記プロセッサは、さらに、ＣＰＭ  ＵＥが前記インターワーキングサービスを使用する権限を与えられているかをチェックすることによりサービスの権限付与を実行する、請求項１１のＩＰ−ＳＭ−ＧＷ。
【請求項１５】
前記ＩＰ−ＳＭ−ＧＷは、サービング呼セッション制御機能（Ｓ−ＣＳＣＦ）と通信し、
前記ＩＰ−ＳＭ−ＧＷは、前記チャットセッションの招待を前記Ｓ−ＣＳＣＦから受信し、
前記Ｓ−ＣＳＣＦは、当該Ｓ−ＣＳＣＦにおいて記憶されている初期フィルタ基準（ｉＦＣ）に基づいて、前記チャットセッションの招待を前記ＣＰＭ  ＵＥから前記ＩＰ−ＳＭ−ＧＷへ転送する、
請求項１１のＩＰ−ＳＭ−ＧＷ。
【請求項１６】
前記チャットセッションの招待が、「ヘッダ」、「ユーザ」又は「ＩＤ」を伴うプライバシヘッダを含む場合に、前記プロセッサは、当該ＩＰ−ＳＭ−ＧＷから前記ＳＭＳ対応ＵＥへ送信される全てのメッセージの中の前記送信者の前記識別子を匿名にする、請求項１１のＩＰ−ＳＭ−ＧＷ。
【請求項１７】
前記識別子は、前記ＣＰＭ  ＵＥの移動局国際加入者ディレクトリ番号（ＭＳＩＳＤＮ）である、請求項１１のＩＰ−ＳＭ−ＧＷ。
【請求項１８】
前記識別子は、前記ＩＰ−ＳＭ−ＧＷにより割り当てられる移動局国際加入者ディレクトリ番号（ＭＳＩＳＤＮ）である、請求項１１のＩＰ−ＳＭ−ＧＷ。
【請求項１９】
前記ＭＳＩＳＤＮは、再使用可能なＭＳＩＳＤＮのデータベースから割り当てられる、請求項１８のＩＰ−ＳＭ−ＧＷ。
【請求項２０】
前記ＳＭＳ対応ＵＥは、着呼するチャットをＳＭＳとして受信するように設定されたプリファレンスを有するＣＰＭ  ＵＥである、請求項１１のＩＰ−ＳＭ−ＧＷ。
【請求項２１】
コンバージドＩＰメッセージング（ＣＰＭ）とメッセージサービスとの間のインターワーキングサービスを提供するための方法であって：
ａ）ＣＰＭユーザ機器（ＵＥ）から発信されて他のＵＥに向けて送信されるチャットセッションの招待を、ゲートウェイにおいて受信するステップと；
ｂ）前記ゲートウェイにおいて前記チャットセッションに識別子を割り当てるステップと；
ｃ）招待の確認応答を前記ゲートウェイから前記ＣＰＭ  ＵＥへ送信するステップと；
ｄ）前記チャットセッション内で、データを含むメッセージであって前記他のＵＥへ送信される当該メッセージを、前記ゲートウェイにおいて前記ＣＰＭ  ＵＥから受信するステップと；
ｅ）データを含む前記メッセージをフォーマットするステップと；
前記チャットセッションに割り当てられる前記識別子は、データを含む前記メッセージの送信者として挿入されて、応答が前記ゲートウェイへ送信されることを保証することと、
ｆ）フォーマットされた前記メッセージを前記他のＵＥへ転送するステップと；
を含む方法。
【請求項２２】
前記他のＵＥは、マルチメディアメッセージングサービス（ＭＭＳ）対応ＵＥであり、
前記メッセージは、ＭＭＳメッセージである、請求項２１の方法。
【請求項２３】
サービスレベルインターワーキングのための方法であって、コンバージドＩＰメッセージング（ＣＰＭ）ユーザ機器（ＵＥ）がショートメッセージサービス（ＳＭＳ）ユーザへチャットセッションの招待を送信し、前記方法は：
ａ）前記ＣＰＭ  ＵＥが、ＩＭＳ登録手順に従ってサービング呼セッション制御機能（Ｓ−ＣＳＣＦ）へ登録するステップと：
ｂ）前記ＣＰＭ  ＵＥが、適当なＳＩＰメソッドを使用して、チャットセッションについてのセッション招待要求をＳ−ＣＳＣＦへ送信するステップと；
ｃ）前記Ｓ−ＣＳＣＦが、記憶されている初期フィルタ基準（ｉＦＣ）に基づいて、インターネットプロトコルショートメッセージゲートウェイ（ＩＰ−ＳＭ−ＧＷ）へ前記セッションの招待を転送するステップと；
ｄ）前記ＩＰ−ＳＭ−ＧＷが、前記登録手順の際にホームロケーションレジスタ（ＨＬＲ）又はホーム加入者サーバ（ＨＳＳ）から検索された記憶されている加入者データに基づいてサービスの権限付与を実行し、前記ＩＰ−ＳＭ−ＧＷが、前記ＣＰＭ  ＵＥの発信加入者が前記サービスレベルインターワーキングサービスを使用する権限を与えられているかをチェックするステップと；
ｅ）前記ＣＰＭ  ＵＥの前記発信加入者が前記サービスレベルインターワーキングサービスを使用する権限を与えられている場合に、前記ＩＰ−ＳＭ−ＧＷが、前記セッションの招待への確認応答を行うステップと；
ｆ）セッションの招待の確認応答が、前記Ｓ−ＣＳＣＦにより前記ＣＰＭ  ＵＥへ転送されるステップと；
ｇ）前記ＣＰＭ  ＵＥのユーザが、前記チャットセッション内で、前記ＳＭＳユーザへのデータを含むメッセージを送信するステップと；
ｈ）前記ＩＰ−ＳＭ−ＧＷが、前記メッセージをショートメッセージに変換し、当該ショートメッセージを前記ＳＭＳユーザに向けて送信するステップと；
を含む方法。
【発明の詳細な説明】
【技術分野】
【０００１】
本発明は、メッセージングの分野に関する。より具体的には、本発明は、異なる通信技術間でのインターワーキングに関する。
【背景技術】
【０００２】
アナログ通信技術、デジタル通信技術、及びより最近ではインターネットプロトコル（ＩＰ）に基づくパケット通信技術に見られるように、通信技術は最近数十年の間に飛躍的に発達した。
【０００３】
過去数年の間に、日々の活動の中でモバイル通信装置を使用することへの関心は増加している。伝統的に、デスコトップコンピュータ、ワークステーション、及び他の無線コンピュータは、ユーザに、電子メール、インスタントメッセージング（ＩＭ）及びチャット等の通信を可能にした。今日、例えば、モバイル電話、スマートフォン、ハンドヘルドコンピュータ、携帯情報端末（ＰＤＡ）等のモバイル装置も、ユーザに、電子メール、ＩＭ、チャット等を介して通信することを可能にする。
【０００４】
モバイル通信装置は、発展し、紹介される異なる通信技術でまだ発展している。ＩＰマルチメディアサブシステム（ＩＭＳ）は、現在様々なマーケットに導入されている、ＩＰに基づく通信技術である。ＩＭＳ技術の導入は容易には進まない。例えば、ハードウェア及び通信プロトコルは、より古い技術のものとは異なる。これは、古い技術と新しい技術との間のインターワーキングについての問題を引き起こす。
【０００５】
問題のうちの１つは、オープンモバイルアライアンス（ＯＭＡ）のコンバージドＩＰメッセージング（ＣＰＭ）、及びＳＭＳユーザにチャットセッションに参加することを可能にするショートメッセージサービス（ＳＭＳ）のセッション開始プロトコル（ＳＩＰ）セッションインターワーキングに関する。
【発明の概要】
【０００６】
したがって、少なくともいくつかのインターワーキングの問題を克服するための方法及び改善されたネットワークノードを提供することが、この発明の概略的な目的である。
【０００７】
本発明の形態によれば、コンバージドＩＰメッセージング（ＣＰＭ）とショートメッセージサービス（ＳＭＳ）との間のインターワーキングサービスを提供するための方法が提供される。上記方法は、ＣＰＭユーザ機器（ＵＥ）から発信されてＳＭＳ対応ＵＥに向けて送信されるチャットセッションの招待を、インターネットプロトコルショートメッセージゲートウェイ（ＩＰ−ＳＭ−ＧＷ）において受信するステップを含む。上記方法は、上記ＩＰ−ＳＭ−ＧＷにおいて上記チャットセッションに識別子を割り当てるステップ、及び招待の確認応答を上記ＩＰ−ＳＭ−ＧＷから上記ＣＰＭ  ＵＥへ送信するステップを含む。上記方法は、上記チャットセッション内で、データを含むメッセージであって上記ＳＭＳ対応ＵＥへ送信される当該メッセージを、上記ＩＰ−ＳＭ−ＧＷにおいて上記ＣＰＭ  ＵＥから受信するステップも含む。上記方法は、データを含む上記メッセージをＳＭＳメッセージにフォーマットするステップをさらに含む。上記チャットセッションに割り当てられる上記識別子は、上記ＳＭＳメッセージの送信者として挿入されて、ＳＭＳ応答が上記ＩＰ−ＳＭ−ＧＷへ送信されることを保証する。上記方法は、フォーマットされた上記ＳＭＳメッセージを上記ＳＭＳ対応ＵＥへ転送するステップを含む。
【０００８】
本発明の別の観点によれば、コンバージドＩＰメッセージング（ＣＰＭ）とショートメッセージサービス（ＳＭＳ）との間のインターワーキングサービスを提供するためのインターネットプロトコルショートメッセージゲートウェイ（ＩＰ−ＳＭ−ＧＷ）が提供される。上記ＩＰ−ＳＭ−ＧＷは、ＣＰＭユーザ機器（ＵＥ）から発信されてＳＭＳ対応ＵＥに向けて送信されるチャットセッションの招待を受信する受信インターフェースを備える。上記受信インターフェースは、さらに、データを含むメッセージであって上記ＳＭＳ対応ＵＥへ送信される当該メッセージを、上記チャットセッション内で上記ＣＰＭ  ＵＥから受信する。上記ＩＰ−ＳＭ−ＧＷは、上記チャットセッションに識別子を割り当て、データを含む上記メッセージをＳＭＳメッセージにフォーマットするプロセッサをさらに備える。上記チャットセッションに割り当てられる上記識別子は、上記ＳＭＳメッセージの送信者として挿入されて、ＳＭＳ応答が上記ＩＰ−ＳＭ−ＧＷへ送信されることを保証する。上記ＩＰ−ＳＭ−ＧＷは、招待の確認応答を上記ＩＰ−ＳＭ−ＧＷから上記ＣＰＭ  ＵＥへ送信し、フォーマットされた上記ＳＭＳメッセージを上記ＳＭＳ対応ＵＥへ転送する送信インターフェースも備える。
【０００９】
本発明の別の観点によれば、コンバージドＩＰメッセージング（ＣＰＭ）とメッセージサービスとの間のインターワーキングサービスを提供するための方法が提供される。上記方法は、ＣＰＭユーザ機器（ＵＥ）から発信されて他のＵＥに向けて送信されるチャットセッションの招待を、ゲートウェイにおいて受信するステップと、上記ゲートウェイにおいて上記チャットセッションに識別子を割り当てるステップと、招待の確認応答を上記ゲートウェイから上記ＣＰＭ  ＵＥへ送信するステップと、上記チャットセッション内で、データを含むメッセージであって上記他のＵＥへ送信される当該メッセージを、上記ゲートウェイにおいて上記ＣＰＭ  ＵＥから受信するステップと、データを含む上記メッセージをフォーマットするステップと、上記チャットセッションに割り当てられる上記識別子は、データを含む上記メッセージの送信者として挿入されて、応答が上記ゲートウェイへ送信されることを保証することと、フォーマットされた上記メッセージを上記他のＵＥへ転送するステップとを含む。
【００１０】
コンバージドＩＰメッセージング（ＣＰＭ）ユーザ機器（ＵＥ）がショートメッセージサービス（ＳＭＳ）ユーザへチャットセッションの招待を送信するサービスレベルインターワーキングのための方法が提供される。上記方法は、以下のステップを含む。上記ＣＰＭ  ＵＥは、ＩＭＳ登録手順に従ってサービング呼セッション制御機能（Ｓ−ＣＳＣＦ）へ登録する。上記ＣＰＭ  ＵＥは、適当なセッション開始プロトコル（ＳＩＰ）メソッドを使用して、チャットセッションについてのセッション招待要求をＳ−ＣＳＣＦへ送信する。上記Ｓ−ＣＳＣＦは、記憶されている初期フィルタ基準（ｉＦＣ）に基づいて、インターネットプロトコルショートメッセージゲートウェイ（ＩＰ−ＳＭ−ＧＷ）へ上記セッションの招待を転送する。上記ＩＰ−ＳＭ−ＧＷが、上記登録手順の際にホームロケーションレジスタ（ＨＬＲ）又はホーム加入者サーバ（ＨＳＳ）から検索された記憶されている加入者データに基づいてサービスの権限付与を実行し、上記ＩＰ−ＳＭ−ＧＷが、上記ＣＰＭ  ＵＥの発信加入者が上記サービスレベルインターワーキングサービスを使用する権限を与えられているかをチェックする。上記ＣＰＭ  ＵＥの上記発信加入者が上記サービスレベルインターワーキングサービスを使用する権限を与えられている場合に、上記ＩＰ−ＳＭ−ＧＷは、上記セッションの招待への確認応答を行う。セッションの招待の確認応答が、上記Ｓ−ＣＳＣＦにより上記ＣＰＭ  ＵＥへ転送される。上記ＣＰＭ  ＵＥの発信加入者は、上記チャットセッション内で、上記ＳＭＳユーザへのデータを含むメッセージを送信する。上記ＩＰ−ＳＭ−ＧＷが、上記メッセージをショートメッセージに変換し、当該ショートメッセージを上記ＳＭＳユーザに向けて送信する。
【図面の簡単な説明】
【００１１】
本発明の目的及び利点は、以下の図面と併せて詳細な説明を読むことにより理解されるであろう。
【図１】本発明の方法の例示的な実施形態に従ったトラフィックフローである。
【図２】本発明に従ったＩＰ−ＳＭ−ＧＷの概略図である。
【図３】本発明に従った方法のフローチャートである。
【図４】本発明に従った別の方法の別のフローチャートである。
【発明を実施するための形態】
【００１２】
本発明の様々な特徴が、図面を参照してここで説明される。これらの様々な形態は、例示的な実施形態及び本発明の理解を容易にするための例に関連してより詳細に後に説明されるが、この実施形態に限定されるように解釈されるべきではない。むしろ、この実施形態は、開示が完全であるように提供され、当業者に本発明の範囲を十分に伝えるであろう。
【００１３】
本発明に従った実施形態は、方法、サーバ、及びコンピュータプログラム製品のブロック図並びに／又は動作図を参照して説明される。ブロック図及び動作図の各ブロック、並びにブロック図及び／若しくは動作図の中のブロックの組み合わせは、無線周波数、アナログ及び／若しくはデジタルハードウェア、並びに／又はコンピュータプログラム命令により実装されることが可能であるとういことが、理解されるべきである。したがって、本発明の様々な形態は、多くの異なる形で具現化され得る。また、全ての当該形は、本発明の範囲内にあると考えられる。コンピュータプログラム命令は、汎用コンピュータ、専用コンピュータ、ＡＳＩＣ及び／又は他のプログラム可能なデータ処理装置のプロセッサ回路へ提供され得る。それにより、コンピュータ及び／又は他のプログラム可能なデータ処理装置のプロセッサを介して実行される上記命令は、ブロック図及び／若しくは動作図において具体化される機能／動作又はブロックを実装する手段を生成する。いくつかの代替の実装では、ブロック又はフローにおいて言及される機能／動作は、動作図において言及される順序以外で現れ得る。例えば、連続して示される２つのブロック又はステップは、関係する機能／動作に応じて、実際には実質的に同時に実行されてもよく、又は逆の順序で実行されることがあってもよい。
【００１４】
既に述べられたように、古い技術と新しい技術との間のインターワーキングは、いくつかの問題を引き起こす。本発明により対処される問題のうちの１つは、ＩＭＳユーザとのチャットセッションに参加するように招待されることをＳＭＳユーザに可能にするための、オープンモバイルアライアンス（ＯＭＡ）コンバージドＩＰメッセージング（ＣＰＭ）とショートメッセージサービス（ＳＭＳ）（ＣＰＭ−ＳＭＳ）との、セッション開始プロトコル（ＳＩＰ）セッションのインターワーキングに関する。
【００１５】
例えば、１対１のチャットセッションの確立、又は少なくとも１のＩＭＳユーザ及び少なくとも１のＳＭＳユーザに関与するグループチャットセッションの確立に伴って、問題が発生する。例えば、１よりも多くのＩＰ−ＳＭ−ＧＷがＩＭＳネットワークの中に配置される場合に、ＩＭＳユーザについてのＳＩＰの終端として動作するＩＰ−ＳＭ−ＧＷへＳＭＳがルーティングされることを確信する手法が現在存在しない。
【００１６】
ＳＭＳネットワークが、特定の１対１のチャットセッション又はグループチャットセッションについての終端として動作している特定のＩＰ−ＳＭ−ＧＷを見つけるために、ＩＭＳユーザについてＳＩＰの終端として動作しているＩＰ−ＳＭ−ＧＷは、チャットセッションに一意の識別子を割り当て、望ましくはＳＭＳメッセージの送信者として、この識別子をＳＭＳユーザに提供する。一意識別子は、セッション、及びチャットセッションを処理するＩＰ−ＳＭ−ＧＷを識別し、応答ＳＭＳメッセージに、適当なＩＰ−ＳＭ−ＧＷへルーティングされることを可能にする。一意識別子は、ＩＰ−ＳＭ−ＧＷに、受信メッセージと継続しているセッションとを相互に関連付けることも可能にする。
【００１７】
本発明の形態によれば、コンバージドＩＰメッセージング（ＣＰＭ）とショートメッセージサービス（ＳＭＳ）との間のインターワーキングサービスを提供するための方法が、提供される。図１を参照すると、上記方法は、インターネットプロトコルショートメッセージングゲートウェイ（ＩＰ−ＳＭ−ＧＷ）３０においてチャットセッションの招待を受信するステップを含む（ステップ１及び２）。チャットセッションの招待は、ＣＰＭユーザ機器（ＵＥ）３４から発信され、ＳＭＳ対応ＵＥ２０へ送信される。上記方法は、ＩＰ−ＳＭ−ＧＷ３０においてチャットセッションに識別子を割り当てるステップと、招待の確認応答をＩＰ−ＳＭ−ＧＷ３０からＣＰＭ  ＵＥ３４へ送信するステップとを含む（ステップ１０及び１１）。上記方法は、チャットセッション内で、データを含むメッセージであってＳＭＳ対応ＵＥ２０へ送信される当該メッセージを、ＩＰ−ＳＭ−ＧＷ３０においてＣＰＭ  ＵＥ３４から受信するステップも含む（ステップ１２）。上記方法は、上記メッセージをＳＭＳメッセージにフォーマットするステップをさらに含む。チャットセッションに割り当てられる識別子は、ＳＭＳメッセージの送信者として挿入されて、ＳＭＳ応答がＩＰ−ＳＭ−ＧＷへ送信されることを保証する。上記方法は、フォーマットされたＳＭＳメッセージをＳＭＳ対応ＵＥ２０へ転送するステップも含む（ステップ１３）。
【００１８】
上記方法は、ＩＰ−ＳＭ−ＧＷ３０において、データを含むメッセージへのＳＭＳ応答をＳＭＳ対応ＵＥ２０から受信するステップと、ＳＭＳ応答をＣＰＭフォーマットの応答へフォーマットするステップと、ＣＰＭフォーマットの応答を上記ＣＰＭ  ＵＥ３４へ転送するステップとをさらに含んでもよい。
【００１９】
上記方法は、招待の確認応答をＣＰＭ  ＵＥ３４へ送信するステップの前に、チャットセッションの招待をＳＭＳ招待メッセージへ変換するステップと、ホームロケーションレジスタ（ＨＬＲ）又はホーム加入者サーバ（ＨＳＳ）２８から、ＳＭＳ対応ＵＥ２０についてのルーティング情報を取得するステップ（ステップ４）と、ＳＭＳ招待メッセージをＳＭＳ対応ＵＥ２０へ送信するステップ（ステップ５、６）と、チャットセッションの招待への応答を示すＳＭＳ応答をＳＭＳ対応ＵＥ２０から受信するステップ（ステップ７）とをさらに含んでもよい。
【００２０】
上記方法は、チャットセッションの招待を受信するステップの後に、ＣＰＭ  ＵＥ３４がインターワーキングサービスを使用する権限を与えられているかをチェックすることによりサービスの権限付与を実行するステップ（ステップ３）をさらに含んでもよい。
【００２１】
望ましくは、ＩＰ−ＳＭ−ＧＷ３０は、サービング呼セッション制御機能（Ｓ−ＣＳＣＦ）３２から、チャットセッションの招待を受信する（ステップ２）。Ｓ−ＣＳＣＦ３２は、Ｓ−ＣＳＣＦに記憶されている初期フィルタ基準（ｉＦＣ）に基づいて、チャットセッションの招待をＣＰＭ  ＵＥ３４からＩＰ−ＳＭ−ＧＷ３０へ転送する（ステップ１及び２）。
【００２２】
チャットセッションの招待は、「ヘッダ」、「ユーザ」又は「ＩＤ」等の値を伴うプライバシヘッダを含んでもよい。そのような場合に、ＩＰ−ＳＭ−ＧＷ３０は、ＩＰ−ＳＭ−ＧＷ３０からＳＭＳ対応ＵＥ２０へ送信される全てのメッセージの中の送信者の識別子を匿名にする。（チャットセッションの）識別子は、ＣＰＭ  ＵＥ３４の移動局国際加入者ディレクトリ番号（ＭＳＩＳＤＮ）であってもよい。識別子は、また、ＩＰ−ＳＭ−ＧＷ３０により割り当てられる移動局国際加入者ディレクトリ番号（ＭＳＩＳＤＮ）であってもよい。この場合に、ＭＳＩＳＤＮは、再使用可能なＭＳＩＳＤＮのデータベースからから選択されてもよい。当該再使用可能なＭＳＩＳＤＮは、ＩＰ−ＳＭ−ＧＷに利用可能である。前に説明されたＳＭＳ対応ＵＥ２０は、実際には複数のＵＥ２０から成っていてもよい。また、この場合に、チャットセッションは、グループチャットセッションであってもよい。複数のＵＥで構成されるグループチャットセッションにおいて、他のＵＥは、ＳＭＳ、電子メール、ＣＰＭ、又はチャットへ参加するための他の手段を使用していてもよい。グループチャットセッションの場合に、識別子は、好ましくは、ＩＰ−ＳＭ−ＧＷにより割り当てられる移動局国際加入者ディレクトリ番号（ＭＳＩＳＤＮ）である。さらに、ＳＭＳ対応ＵＥ２０１は、着呼するチャットをＳＭＳとして受信するように設定されたプリファレンスを有するＣＰＭ  ＵＥであってもよい。
【００２３】
本発明の別の形態によれば、ＣＰＭとＳＭＳとの間のインターワーキングのための方法が提供される。上記方法は、ＩＰ−ＳＭ−ＧＷにおいて、ＣＰＭユーザからＳＭＳユーザへ送信されるチャットセッションの招待を遮断するステップと、セッションの招待をＳＭＳメッセージへフォーマットするステップとを含む。応答をＳＭＳユーザからＩＰ−ＳＭ−ＧＷへ直接的にルーティングするために、セッションに関連付けられる識別子が、ＳＭＳメッセージの送信者として挿入される。上記方法は、ＩＰ−ＳＭ−ＧＷにおいて、ＣＰＭユーザからＳＭＳユーザへ送信されるメッセージを遮断するステップと、当該メッセージをＳＭＳメッセージへフォーマットするステップとをさらに含む。応答をＳＭＳユーザからＩＰ−ＳＭ−ＧＷへ直接的にルーティングするために、電話番号、短符号、又は、ＭＳＩＳＤＮのようなセッションに関連付けられるいずれかの他の適した識別子等の、識別子が、ＳＭＳメッセージの送信者として挿入される。上記方法は、ＳＭＳメッセージをＳＭＳユーザへ転送するステップと、ＳＭＳ応答をＳＭＳユーザから受信するステップと、ＳＭＳ応答をＣＰＭフォーマットの応答へフォーマットし、ＣＰＭフォーマットの当該応答をＩＭＳユーザへ転送するステップとをさらに含む。
【００２４】
既に示された方法のステップは、変更された順序で実行され得るということ、いくつかのステップは何度も繰り返され得るということ、及び、チャットの間に、同一のユーザが、当該ユーザのメッセージ間でいずれの応答も受信することなく多数の連続したメッセージを送信し得るということを、当業者は容易に理解するであろう。
【００２５】
ここで図１及び図２を参照すると、本発明の別の形態によれば、コンバージドＩＰメッセージング（ＣＰＭ）とショートメッセージサービス（ＳＭＳ）との間のインターワーキングサービスを提供するためのインターネットプロトコルショートメッセージゲートウェイ（ＩＰ―ＳＭ−ＧＷ）３０が提供される。ＩＰ―ＳＭ−ＧＷは、ＣＰＭユーザ機器（ＵＥ）から発信されてＳＭＳ対応ＵＥに向けて送信されるチャットセッションの招待を受信する受信インターフェース４０を備える。上記受信インターフェースは、さらに、データを含むメッセージであって上記ＳＭＳ対応ＵＥへ送信される当該メッセージを、上記チャットセッション内で上記ＣＰＭ  ＵＥから受信する。ＩＰ―ＳＭ−ＧＷ３０は、上記チャットセッションに識別子を割り当て、上記メッセージをＳＭＳメッセージにフォーマットするプロセッサ４４をさらに備える。上記チャットセッションに割り当てられる上記識別子は、上記ＳＭＳメッセージの送信者として挿入されて、ＳＭＳ応答がＩＰ−ＳＭ−ＧＷ３０へ送信されることを保証する。ＩＰ−ＳＭ−ＧＷ３０は、招待の確認応答をＩＰ−ＳＭ−ＧＷ３０から上記ＣＰＭ  ＵＥへ送信し、フォーマットされた上記ＳＭＳメッセージをＳＭＳ対応ＵＥ２０へ転送する送信インターフェース４２も備える。
【００２６】
ＩＰ−ＳＭ−ＧＷ３０の受信インターフェース４０は、さらに、ＳＭＳ対応ＵＥ２０から上記ＳＭＳ応答を受信する。プロセッサ４４は、さらに、上記ＳＭＳ応答をＣＰＭフォーマットの応答へフォーマットする。送信インターフェース４２は、さらに、上記ＣＰＭフォーマットの上記応答をＣＰＭ  ＵＥ３４へ転送する。
【００２７】
ＩＰ−ＳＭ−ＧＷ３０のプロセッサ４４は、さらに、上記チャットセッションの招待をＳＭＳ招待メッセージへ変換する。受信インターフェース４０は、さらに、ホームロケーションレジスタ（ＨＬＲ）又はホーム加入者サーバ（ＨＳＳ）２８から、ＳＭＳ対応ＵＥ２０についてのルーティング情報を取得し、上記チャットセッションの招待への応答を示すＳＭＳ応答をＳＭＳ対応ＵＥ２０から受信する。送信インターフェース４２は、さらに、上記ＳＭＳ招待メッセージを上記ＳＭＳ対応ＵＥ２０へ送信する。
【００２８】
プロセッサ４４は、さらに、ＣＰＭ  ＵＥ３４が上記インターワーキングサービスを使用する権限を与えられているかをチェックすることによりサービスの権限付与を実行する。ＩＰ−ＳＭ−ＧＷ３０は、サービング呼セッション制御機能（Ｓ−ＣＳＣＦ）３２と通信する。ＩＰ−ＳＭ−ＧＷ３０は、上記チャットセッションの招待をＳ−ＣＳＣＦ３２から受信する。上記Ｓ−ＣＳＣＦは、当該Ｓ−ＣＳＣＦにおいて記憶されている初期フィルタ基準（ｉＦＣ）に基づいて、上記チャットセッションの招待をＣＰＭ  ＵＥ３４からＩＰ−ＳＭ−ＧＷ３０へ転送する。
【００２９】
本発明のさらに別の形態によれば、改善されたＩＰ−ＳＭ−ＧＷが提供される。上記ＩＰ−ＳＭ−ＧＷは、ＣＰＭユーザからＳＭＳユーザへ送信されるチャットセッションの招待を遮断（intercept）し、上記セッションの招待をＳＭＳメッセージにフォーマットする手段を備える。上記ＳＭＳユーザから上記ＩＰ−ＳＭ−ＧＷへ応答を直接的にルーティングするための、上記セッションに関連付けられる識別子は、上記ＳＭＳメッセージの送信者として挿入される。上記遮断する手段は、当業者にとって既知である入力手段、Ｉ／Ｏ手段又は接続手段であり得る。ＩＭＳモードの場合に、この手段は、例えばＳＩＰプロトコル又はいずれかの同等なものを介して通信可能なレセプタであってもよい。ＩＰ−ＳＭ−ＧＷにおけるＣＰＭユーザとＳＭＳユーザとの間のセッションを確立する手段は、ソフトウェアを実行するプロセッサ又はセッションを確立可能ないずれかのハードウェアロジックの形をとり得る。
【００３０】
ＩＰ−ＳＭ−ＧＷは、ＣＰＭユーザからＳＭＳユーザへ送信されるメッセージをＩＰ−ＳＭ−ＧＷにおいて遮断し、上記メッセージをＳＭＳメッセージにフォーマットする手段をさらに備える。電話番号、短符号、又は応答をＳＭＳユーザからＩＰ−ＳＭ−ＧＷへ直接的にルーティングするためのセッションに関連付けられるいずれかの他の適した識別子等の、上記識別子は、ＳＭＳメッセージの送信者として挿入される。上記遮断する手段は、上述された手段と同様であってもよい。上記フォーマットする手段は、また、ソフトウェアを実行するプロセッサ又はいずれかの他の種類の適したハードウェアであってもよい。
【００３１】
ＩＰ−ＳＭ−ＧＷは、ＳＭＳメッセージをＳＭＳユーザへ転送する手段をさらに備える。当該手段は、例えばＳＩＰプロトコルを介して通信可能な送信機の形であることが可能である。ＩＰ−ＳＭ−ＧＷは、ＳＭＳユーザから送信されるＳＭＳ応答を受信し、ＳＭＳ応答をＣＰＭフォーマットの応答にフォーマットする手段をさらに備える。これらの手段は、レセプタ及びソフトウェアを実行するプロセッサ又はいずれかの他の種類の適したハードウェアであり得る。ＩＰ−ＳＭ−ＧＷは、ＣＰＭフォーマットの応答をＩＭＳユーザへ転送する手段をさらに備える。上記転送する手段は、上述したような送信機又はいずれかの他の等価なものであってもよい。
【００３２】
図３を参照すると、本発明のさらに別の形態によれば、コンバージドＩＰメッセージング（ＣＰＭ）とメッセージサービスとの間のインターワーキングサービスを提供するための方法が提供される。上記方法は、ＣＰＭユーザ機器（ＵＥ）から発信されて他のＵＥに向けて送信されるチャットセッションの招待を、ゲートウェイにおいて受信するステップ（ステップ２００）を含む。上記方法は、上記ゲートウェイにおいて上記チャットセッションに識別子を割り当てるステップ（ステップ２１０）と、チャットセッション内で、招待の確認応答を上記ゲートウェイから上記ＣＰＭ  ＵＥへ送信するステップ（ステップ２２０）とを含む。上記方法は、上記チャットセッション内で、データを含むメッセージであって上記他のＵＥへ送信される当該メッセージを、上記ゲートウェイにおいて上記ＣＰＭ  ＵＥから受信するステップ（ステップ２３０）と、上記メッセージをフォーマットするステップ（ステップ２４０）とをさらに含む。上記チャットセッションに割り当てられる上記識別子は、上記メッセージの送信者として挿入されて、応答が上記ゲートウェイへ送信されることを保証する。また、上記方法は、フォーマットされた上記メッセージを上記他のＵＥへ転送するステップを含む。当業者にとって明らかなように、上記他のＵＥは、マルチメディアメッセージングサービス（ＭＭＳ）対応ＵＥであり、上記メッセージは、ＭＭＳメッセージであり得る。
【００３３】
図４を参照すると、本発明のさらに別の形態によれば、コンバージドＩＰメッセージング（ＣＰＭ）ユーザ機器（ＵＥ）がショートメッセージサービス（ＳＭＳ）ユーザへチャットセッションの招待を送信する、サービスレベルインターワーキングのための方法が、提供される。上記方法は、以下のステップを含む。ステップ３００で、上記ＣＰＭ  ＵＥは、ＩＭＳ登録手順に従ってサービング呼セッション制御機能（Ｓ−ＣＳＣＦ）へ登録する。ステップ３１０で、上記ＣＰＭ  ＵＥは、適当なＳＩＰメソッドを使用して、チャットセッションについてのセッション招待要求をＳ−ＣＳＣＦへ送信する。ステップ３２０で、上記Ｓ−ＣＳＣＦは、記憶されている初期フィルタ基準（ｉＦＣ）に基づいて、インターネットプロトコルショートメッセージゲートウェイ（ＩＰ−ＳＭ−ＧＷ）へ上記セッションの招待を転送する。ステップ３３０で、上記ＩＰ−ＳＭ−ＧＷは、上記登録手順の際にホームロケーションレジスタ（ＨＬＲ）又はホーム加入者サーバ（ＨＳＳ）から検索された記憶されている加入者データに基づいてサービスの権限付与を実行し、上記ＩＰ−ＳＭ−ＧＷが、上記ＣＰＭ  ＵＥの発信加入者が上記サービスレベルインターワーキングサービスを使用する権限を与えられているかをチェックする。ステップ３４０で、上記ＣＰＭ  ＵＥの上記発信加入者が上記サービスレベルインターワーキングサービスを使用する権限を与えられている場合に、上記ＩＰ−ＳＭ−ＧＷが、上記セッションの招待への確認応答を行う。ステップ３５０で、セッションの招待の確認応答が、上記Ｓ−ＣＳＣＦにより上記ＣＰＭ  ＵＥへ転送される。ステップ３６０で、上記ＣＰＭ  ＵＥのユーザが、上記チャットセッション内で、上記ＳＭＳユーザへのデータを含むメッセージを送信する。ステップ３７０で、上記ＩＰ−ＳＭ−ＧＷが、上記メッセージをショートメッセージに変換し、当該ショートメッセージを上記ＳＭＳユーザに向けて送信する。
【００３４】
本発明の方法の例示的な実施形態に従ったトラフィックフローが、図１に示されている。この図において説明される実施形態の各ステップが、ここでより詳細に説明される。ステップ１で、ＣＰＭユーザ機器（ＵＥ）３４は、適当なＳＩＰメソッドを使用して、メッセージセッションリレープロトコル（ＭＳＲＰ）セッションについてのセッション招待要求を、別のＩＭＳドメイン又は同一のＩＭＳドメイン内のＣＰＭユーザ２０へ送信する。ＵＥ３４は、上記セッションの招待の中で、パブリックユーザＩＤを受信者から隠すことを要求してもよい。発信するサービング呼セッション制御機能（Ｓ−ＣＳＣＦ）３２（図示せず）は、宛先のドメインを決定し、上記セッションの招待を終端ネットワーク内のＳ−ＣＳＣＦ３２（「終端Ｓ−ＣＳＣＦ」）に向けてルーティングする。
【００３５】
ステップ２で、終端Ｓ−ＣＳＣＦ３２は、Ｓ−ＣＳＣＦ３２において保持されている初期フィルタ基準（ｉＦＣ）に基づいて、セッションの招待をＩＰ−ＳＭ−ＧＷ３０へ転送する。
【００３６】
ステップ３で、ＩＰ−ＳＭ−ＧＷ３０において、継続するための権限付与がチェックされる。セッションの招待の送信者が、パブリックユーザＩＤを受信者から隠すことを求め、オペレータのポリシーがこれを許可する場合に、ＩＰ−ＳＭ−ＧＷ３０は、上記送信者が上記受信者に送信する全てのメッセージにおいてユーザのＩＤを匿名の状態にし得る。そうでなければ、オペレータのポリシーが匿名性を禁止する場合に、ＩＰ−ＳＭ−ＧＷ３０は適当なエラーをユーザに返し得る。
【００３７】
オペレータのポリシーが、ＳＭＳユーザ２０の代わりに上記招待を受け取る前にＳＭＳユーザ２０を調べることである場合に、ステップ４〜９が、選択的に実行されてもよい。そうでなければ、プロセスは、ＳＭＳ２０ユーザが積極的に応答したかのようにステップ１０を続ける。
【００３８】
ステップ４で、ＩＰ−ＳＭ−ＧＷ３０は、セッション招待要求をショートメッセージに変換することにより、サービスレベルインターワーキングを実行する。ＩＰ−ＳＭ−ＧＷ３０は、ホームロケーションレジスタ（ＨＬＲ）又はホーム加入者サーバ（ＨＳＳ）２８から、宛先のＵＥ２０についてのルーティング情報を取得する。
【００３９】
ステップ５で、ＩＰ−ＳＭ−ＧＷ３０は、転送ショートメッセージのメッセージを対象のモバイルスイッチングセンタ（ＭＳＣ）２６へ送信する。ＩＰ−ＳＭ−ＧＷ３０は、チャットセッションを表す識別子又はアドレスを挿入して、このＳＭＳへの応答がＩＰ−ＳＭ−ＧＷ３０へ送信されることを保証する。発信側の送信者、即ちＣＰＭユーザ３４又はグループのＩＤは、オペレータにより提供される招待テキストの一部として含められる。
【００４０】
ステップ６で、ＭＳＣ２６は、ショートメッセージをＳＭＳユーザ２０へ送信する。
【００４１】
ステップ７で、チャットセッションの受け取りを示す、ＳＭＳユーザ２０からのＳＭＳメッセージは、ショートメッセージサービスゲートウェイモバイルスイッチングセンタ（ＳＭＳ−ＧＭＳＣ）２４により受信される。ＩＰ−ＳＭ−ＧＷ３０により割り当てられる識別子又はアドレスはその後ＳＭＳユーザ２０により使用されて、チャットメッセージがＣＰＭユーザ３４へ送信される。
【００４２】
ステップ８ａで、ＳＭＳ−ＧＭＳＣ２４は、ＨＳＳ２８に問い合わせて、ルーティング情報を検索する。ＩＰ−ＳＭ−ＧＷ３０により既に挿入された識別子に基づいて、ＨＳＳ２８は、対応するＩＰ−ＳＭ−ＧＷ３０へ要求を転送する。
【００４３】
ステップ８ｂで、ＨＬＲ又はＨＳＳ２８は、国際移動体加入者識別番号（ＩＭＳＩ）及びＩＰ−ＳＭ−ＧＷ３０の識別子又はアドレスを返す。
【００４４】
ステップ８ｃで、ＩＰ−ＳＭ−ＧＷ３０は、モバイル端末相関識別子（ＭＴ相関ＩＤ）を生成する。ＭＴ相関ＩＤは、受信するＵＥのホーム公衆陸上モバイルネットワーク（ＨＰＬＭＮ）がＳＭＳルータを使用している場合にのみ使用されるサービス要素である。ＭＴ相関ＩＤが使用されて、転送ＳＭ動作と（参照により本明細書に含まれる文書ＴＳ２３．０４０“3rd  Generation  Partnership  Project;  Technical  Specification  Group  Core  Network  and  Terminals;  Technical  realization  of  the  Short  Message  Service  (SMS)”において定義されるような）以前の情報検索動作とが相互に関連付けられる。それは、ルーティング情報の検索と後続の転送ショートメッセージのメッセージとを関連付け、受信する加入者のＩＭＳＩとともにこれを記憶する。ＩＰ−ＳＭ−ＧＷ３０は、ルーティング情報として、ＩＭＳＩフィールドの中でＭＴ相関ＩＤとともに自装置のアドレスをＳＭＳ−ＧＭＳＣ２４へ返す。
【００４５】
ステップ９で、ＳＭＳ−ＧＭＳＣ２４は、ＩＰ−ＳＭ−ＧＷ３０から受信されるＭＴ相関ＩＤをＩＭＳＩの位置に含めて、ショートメッセージをＭＳＣ又はサービングＧＰＲＳ（General  Packet  Radio  Service）サポートノード（ＳＧＳＮ）へ伝送するのと同じ手法でショートメッセージをＩＰ−ＳＭ−ＧＷ３０へ伝送する。
【００４６】
ステップ１０で、回答が肯定的であれば、ＩＰ−ＳＭ−ＧＷ３０は、上記セッションの招待の確認応答を行う。そうでなければ、ＩＰ−ＳＭ−ＧＷ３０は、エラー応答を送信する。
【００４７】
ステップ１１で、セッションの招待の確認応答が、Ｓ−ＣＳＣＦ３２によりＵＥ３４へ転送される。
【００４８】
セッションの招待への肯定的な回答を伴うＳＭＳがＳＭＳユーザ２０から受信される場合、又は、ＳＭＳユーザの相互作用なしにセッションが受け入れられるとオペレータのポリシーが示す場合にのみ、ステップ１２から１４が実行される。招待への否定的な応答が受信される場合、又はオペレータにより定められる時間内にＳＭＳユーザ２０からのいずれの応答も受信されない場合に、ＩＰ−ＳＭ−ＧＷ３０は、チャット招待への否定的な応答を送信し得る。
【００４９】
ステップ１２で、ＣＰＭユーザ３４は、データを含むメッセージを受信者のＳＭＳユーザ２０へ送信する。
【００５０】
ステップ１３で、ＩＰ−ＳＭ−ＧＷ３０は、受信されたメッセージをＳＭＳメッセージに変換し、ＴＳ２３．０４０において記載されているようにＭＳＣアドレスに向けてショートメッセージを送信する（ＳＭＳ伝送）。ＩＰ−ＳＭ−ＧＷ３０は、チャットセッションを表す識別子又はアドレスをメッセージの送信者として挿入して、このＳＭＳへの応答がＩＰ−ＳＭ−ＧＷ３０へ送信されることを保証する。ＳＭＳユーザから送信されるこのチャットセッションについての各メッセージは、ＩＰ−ＳＭ−ＧＷ３０により提供されるこの識別子又はアドレスへ送信され得る。
【００５１】
ステップ１４で、ＴＳ２３．０４０において記載されているように、ＭＳＣ２６は、ショートメッセージをＳＭＳユーザ２０へ転送する（ＳＭＳ伝送）。
【００５２】
提案されたソリューションは、ＳＭＳユーザ２０に、少なくとも１の他の相手がＩＭＳネットワークの一部である１対１のチャット又はグループチャットに参加することを可能にする。１対１の場合に、ＳＭＳユーザ２０は、一意の１対１のチャット番号へ送信されるＳＭＳはチャットセッションの一部であるのに対して、受信者の移動局国際加入者ディレクトリ番号（ＭＳＩＳＤＮ）へ直接的に送信されるＳＭＳはチャットセッション外で到着し得るということを、知り得る。したがって、ＳＭＳユーザ２０は、まだ、ＳＭＳユーザ２０がチャットしている同じユーザであったとしても、チャットセッション外でＳＭＳを送信することができてもよい。
【００５３】
本発明は、具体的な実施形態を参照して説明された。しかしながら、上述された実施形態の形以外の形で本発明を具現化することが可能であるということは、当業者により容易に理解されるであろう。上述した実施形態は、単に説明のためのものであり、決して制限するものとみなされるべきではない。
【図１】
2013507678.tif 000003
【図２】
2013507678.tif 000004
【図３】
2013507678.tif 000005
【図４】
2013507678.tif 000006
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
インターネットプロトコルショートメッセージゲートウェイ（ＩＰ−ＳＭ−ＧＷ）により、コンバージドＩＰメッセージング（ＣＰＭ）とショートメッセージサービス（ＳＭＳ）との間のインターワーキングサービスを提供するための方法であって：
ａ）ＣＰＭユーザ機器（ＵＥ）から発信されてＳＭＳ対応ＵＥに向けて送信されるチャットセッションの招待を受信するステップと；
ｂ）前記チャットセッションに移動局国際加入者ディレクトリ番号（ＭＳＩＳＤＮ）を割り当てるステップと；
ｃ）招待の確認応答を前記ＣＰＭ  ＵＥへ送信するステップと；
ｄ）前記チャットセッション内で、データを含むメッセージであって前記ＳＭＳ対応ＵＥへ送信される当該メッセージを前記ＣＰＭ  ＵＥから受信するステップと；
ｅ）データを含む前記メッセージをＳＭＳメッセージにフォーマットするステップと；
割り当てられる前記ＭＳＩＳＤＮは、前記ＳＭＳメッセージの送信者として挿入されて、ＳＭＳ応答が前記ＩＰ−ＳＭ−ＧＷへ送信されることを保証することと、
ｆ）フォーマットされた前記ＳＭＳメッセージを前記ＳＭＳ対応ＵＥへ転送するステップと；
を含む方法。
【請求項２】
ｇ）前記ＩＰ−ＳＭ−ＧＷにおいて、前記ＳＭＳ対応ＵＥから前記ＳＭＳ応答を受信するステップと；
ｈ）前記ＳＭＳ応答をＣＰＭフォーマットの応答へフォーマットするステップと；
ｉ）前記ＣＰＭフォーマットの前記応答を前記ＣＰＭ  ＵＥへ転送するステップと；
をさらに含む、請求項１の方法。
【請求項３】
前記ステップｂ）の後に、
ｂ１）前記チャットセッションの招待をＳＭＳ招待メッセージへ変換するステップと；
ｂ２）ホームロケーションレジスタ（ＨＬＲ）又はホーム加入者サーバ（ＨＳＳ）から、前記ＳＭＳ対応ＵＥについてのルーティング情報を取得するステップと；
ｂ３）前記ＳＭＳ招待メッセージを前記ＳＭＳ対応ＵＥへ送信するステップと；
ｂ４）前記チャットセッションの招待への応答を示すＳＭＳ応答を前記ＳＭＳ対応ＵＥから受信するステップと；
さらに含む、請求項１の方法。
【請求項４】
前記ステップｂ）の後に、前記ＣＰＭ  ＵＥが前記インターワーキングサービスを使用する権限を与えられているかをチェックすることによりサービスの権限付与を実行するステップをさらに含む、請求項１の方法。
【請求項５】
前記ステップａ）において、
前記ＩＰ−ＳＭ−ＧＷは、前記チャットセッションの招待をサービング呼セッション制御機能（Ｓ−ＣＳＣＦ）から受信し、
前記Ｓ−ＣＳＣＦは、当該Ｓ−ＣＳＣＦにおいて記憶されている初期フィルタ基準（ｉＦＣ）に基づいて、前記チャットセッションの招待を前記ＣＰＭ  ＵＥから前記ＩＰ−ＳＭ−ＧＷへ転送する、
請求項１の方法。
【請求項６】
前記チャットセッションの招待が、「ヘッダ」、「ユーザ」又は「ＩＤ」を伴うプライバシヘッダを含む場合に、前記ＩＰ−ＳＭ−ＧＷは、当該ＩＰ−ＳＭ−ＧＷから前記ＳＭＳ対応ＵＥへ送信される全てのメッセージの中の前記送信者の前記識別子を匿名にする、請求項１の方法。
【請求項７】
割り当てられる前期ＭＳＩＳＤＮは、前記ＣＰＭ  ＵＥのＭＳＩＳＤＮである、請求項１の方法。
【請求項８】
割り当てられる前記ＭＳＩＳＤＮは、再使用可能なＭＳＩＳＤＮのデータベースから割り当てられる、請求項１の方法。
【請求項９】
前記ＳＭＳ対応ＵＥは、着呼するチャットをＳＭＳとして受信するように設定されたプリファレンスを有するＣＰＭ  ＵＥである、請求項１の方法。
【請求項１０】
コンバージドＩＰメッセージング（ＣＰＭ）とショートメッセージサービス（ＳＭＳ）との間のインターワーキングサービスを提供するためのインターネットプロトコルショートメッセージゲートウェイ（ＩＰ−ＳＭ−ＧＷ）であって、
−ＣＰＭユーザ機器（ＵＥ）から発信されてＳＭＳ対応ＵＥに向けて送信されるチャットセッションの招待を受信し、データを含むメッセージであって前記ＳＭＳ対応ＵＥへ送信される当該メッセージを、前記チャットセッション内で前記ＣＰＭ  ＵＥから受信する、受信インターフェースと；
−前記チャットセッションに移動局国際加入者ディレクトリ番号（ＭＳＩＳＤＮ）を割り当て、データを含む前記メッセージをＳＭＳメッセージにフォーマットするプロセッサと；
を備え、
前記チャットセッションに割り当てられる前記ＭＳＩＳＤＮは、前記ＳＭＳメッセージの送信者として挿入されて、ＳＭＳ応答が前記ＩＰ−ＳＭ−ＧＷへ送信されることを保証し、
前記ＩＰ−ＳＭ−ＧＷは、
−招待の確認応答を前記ＩＰ−ＳＭ−ＧＷから前記ＣＰＭ  ＵＥへ送信し、フォーマットされた前記ＳＭＳメッセージを前記ＳＭＳ対応ＵＥへ転送する送信インターフェース；
を備える、ＩＰ−ＳＭ−ＧＷ。
【請求項１１】
前記受信インターフェースは、さらに、前記ＳＭＳ対応ＵＥから前記ＳＭＳ応答を受信し、
前記プロセッサは、さらに、前記ＳＭＳ応答をＣＰＭフォーマットの応答へフォーマットし、
前記送信インターフェースは、さらに、前記ＣＰＭフォーマットの前記応答を前記ＣＰＭ  ＵＥへ転送する、
請求項１０のＩＰ−ＳＭ−ＧＷ。
【請求項１２】
前記プロセッサは、さらに、前記チャットセッションの招待をＳＭＳ招待メッセージへ変換し、
前記受信インターフェースは、さらに、ホームロケーションレジスタ（ＨＬＲ）又はホーム加入者サーバ（ＨＳＳ）から、前記ＳＭＳ対応ＵＥについてのルーティング情報を取得し、前記チャットセッションの招待への応答を示すＳＭＳ応答を前記ＳＭＳ対応ＵＥから受信し、
前記送信インターフェースは、さらに、前記ＳＭＳ招待メッセージを前記ＳＭＳ対応ＵＥへ送信する、
請求項１０のＩＰ−ＳＭ−ＧＷ。
【請求項１３】
前記プロセッサは、さらに、ＣＰＭ  ＵＥが前記インターワーキングサービスを使用する権限を与えられているかをチェックすることによりサービスの権限付与を実行する、請求項１０のＩＰ−ＳＭ−ＧＷ。
【請求項１４】
前記ＩＰ−ＳＭ−ＧＷは、サービング呼セッション制御機能（Ｓ−ＣＳＣＦ）と通信し、
前記ＩＰ−ＳＭ−ＧＷは、前記チャットセッションの招待を前記Ｓ−ＣＳＣＦから受信し、
前記Ｓ−ＣＳＣＦは、当該Ｓ−ＣＳＣＦにおいて記憶されている初期フィルタ基準（ｉＦＣ）に基づいて、前記チャットセッションの招待を前記ＣＰＭ  ＵＥから前記ＩＰ−ＳＭ−ＧＷへ転送する、
請求項１０のＩＰ−ＳＭ−ＧＷ。
【請求項１５】
前記チャットセッションの招待が、「ヘッダ」、「ユーザ」又は「ＩＤ」を伴うプライバシヘッダを含む場合に、前記プロセッサは、当該ＩＰ−ＳＭ−ＧＷから前記ＳＭＳ対応ＵＥへ送信される全てのメッセージの中の前記送信者の前記識別子を匿名にする、請求項１０のＩＰ−ＳＭ−ＧＷ。
【請求項１６】
前記チャットセッションに割り当てられる前記ＭＳＩＳＤＮは、前記ＣＰＭ  ＵＥのＭＳＩＳＤＮである、請求項１０のＩＰ−ＳＭ−ＧＷ。
【請求項１７】
前記チャットセッションに割り当てられる前記ＭＳＩＳＤＮは、再使用可能なＭＳＩＳＤＮのデータベースから割り当てられる、請求項１０のＩＰ−ＳＭ−ＧＷ。
【請求項１８】
前記ＳＭＳ対応ＵＥは、着呼するチャットをＳＭＳとして受信するように設定されたプリファレンスを有するＣＰＭ  ＵＥである、請求項１０のＩＰ−ＳＭ−ＧＷ。
【手続補正２】
【補正対象書類名】明細書
【補正対象項目名】００４３
【補正方法】変更
【補正の内容】
【００４３】
ステップ８ｃで、ＩＰ−ＳＭ−ＧＷ３０は、モバイル端末相関識別子（ＭＴ相関ＩＤ）を生成する。ＭＴ相関ＩＤは、受信するＵＥのホーム公衆陸上モバイルネットワーク（ＨＰＬＭＮ）がＳＭＳルータを使用している場合にのみ使用されるサービス要素である。ＭＴ相関ＩＤが使用されて、転送ＳＭ動作と以前の情報検索動作とが相互に関連付けられる。それは、ルーティング情報の検索と後続の転送ショートメッセージのメッセージとを関連付け、受信する加入者のＩＭＳＩとともにこれを記憶する。ＩＰ−ＳＭ−ＧＷ３０は、ルーティング情報として、ＩＭＳＩフィールドの中でＭＴ相関ＩＤとともに自装置のアドレスをＳＭＳ−ＧＭＳＣ２４へ返す。
【国際調査報告】
2013507678.tif 000007
2013507678.tif 000008
2013507678.tif 000009